(57)【要約】高吸水性を有する吸水シートより少なくとも一方向の寸法が部分的あるいは全側面で大きなフィルムを張り合わせた飲用容器結露防止カバーにより、冷たい飲料を入れて飲食用容器を上記結露防止カバーで飲食用容器底面に沿って巻き付けることにより飲食用容器表面上の水滴は結露する前に吸水性シートに吸収される。【課題】飲食で使用するボトル、缶、グラスに冷たい液体を入れた場合の表面に結露する水滴を吸水し、水滴が衣服の上や食物上に落下することを防止する。【解決手段】高吸水性を有する吸水シート１より少なくとも一方向の寸法が部分的あるいは全側面で大きなフィルム２を張り合わせた飲用容器結露防止カバー【選択図】　　　図３
2004089664.tif 000002
【特許請求の範囲】
【請求項１】
高吸水性を有する吸水シートより少なくとも一方向の寸法が部分的あるいは全側面で大きなフィルムを張り合わせた飲用容器結露防止カバー。
【請求項２】
透明フィルムの表面又は裏面に画像、文字、模様等の表示をした飲用容器結露防止カバー。
【請求項３】
冷たい液体の入った容器の表面に請求項１記載の飲用容器結露防止カバーを容器の底面に沿って巻き付け、吸水シートよりも大きなフィルム部分の内側に水をつけて下地のフィルムの表面に張り付けて使用する飲用容器結露防止カバーの利用方法。
【請求項４】
吸水シートのサイズが容器の外周サイズよりも小さくするか垂直方向に切り欠き部分を設け、かつ吸水シートのない部分のフィルムを透明にすることにより、容器内の液量を目で確認出来るようにした飲用容器結露防止カバーの利用方法。
【発明の詳細な説明】
【０００１】
【発明の属する技術分野】
本発明は飲食で使用するボトル、缶、グラスに冷たい液体を入れた場合の表面に結露する水滴を吸水し、水滴が衣服の上や食物上に落下することを防止するための飲食用容器結露防止カバーに関するものである。
【０００２】
【従来の技術】
ボトル、缶、グラス等の飲用容器に封入された冷たい飲料、又はそれら容器に注がれた冷たい飲料により、空気中の湿気が冷却されて結露することにより、卓上をぬらしたり、食物上に水滴が落ちで不衛生であったり、衣服に滴下してシミをつくったりするためにコースターやナプキン等を敷いて水分の吸収する手段がとられている。
【０００３】
【発明が解決しようとする課題】
上記従来のようにコースターやナプキンを敷くたりして水分を吸収する手段では、容器と分離しているため、容器上の結露を吸収が出来ず水滴の垂れ対策としては十分ではない。また、手で持つときのぬれ対策が不十分であった。この問題を解決するための一手段として特開平１１−３１８６７６号公報が提案されている。この公報による提案は熱溶融性を有する不織布または不織布とフィルムの複合材で少なくとも内袋および外袋を構成する重層構造を有する略方形の袋体であり、この袋体の底面角部を略方形に切り欠くことによりこの底面を飲用容器の抜け落ち防止バンドとして形成するものである。しかしながら、この提案ではホルダをボトル、缶、グラスの大きさ毎に加工する必要があり、また、加工するにも重ね合わせ加工、折り曲げ加工、切り欠き加工、切断および接合加工等加工工数が多いという欠点がある。また、接合部分の両端が出っ張りとなり、手で持つときの触感が悪いという問題、およびボトルやグラスのように飲料の残量が見えないと言う欠点があった。本発明は上記欠点を回避可能な、飲用容器結露防止カバーについて検討した。
【０００４】
【課題を解決するための手段】
本発明は、高吸水性を有する吸水シートより少なくとも一方向の寸法が部分的あるいは全側面で大きなフィルムを張り合わせた飲用容器結露防止カバーである。すなわち、冷たい飲料を入れて飲食用容器を上記結露防止カバーで飲食用容器底面に沿って巻き付けることにより飲食用容器表面上の水滴は結露する前に吸水性シートに吸収される。そして、通常飲食用容器は手に持つ時間より卓上に置く時間が長いから、飲食用容器の底面は結露しにくいので飲食用容器周囲のみを吸水すればほとんどの水は吸収される。そして、飲食用容器に結露防止カバーを巻き付けて固定するためには、フィルム間に水に濡らす程度でも水の表面張力で張り付き、飲食時間内に結露カバーを飲食容器に接着させておくことが出来るのである。また、吸水シートが飲用容器に直接接触すると容器表面の水分を吸収し、結露防止カバーそのものの保持ができ、滑り止めにもなる。外側のフィルムは吸水シートに吸収された水分の透過を阻止するので、手が濡れることがない。
【０００５】
さらに、透明フィルムの表面又は裏面に画像、文字、模様等の表示をした飲用容器結露防止カバーとすることにより、結婚式、記念式典、誕生パーティ、お祝い等のイベント用に、ふさわしいデザインとすることによりそのイベントのムード高揚に役立つ。さらに、それらイベントスポンサーの宣伝公告媒体としても利用できる。
【０００６】
さらに、吸水シートのサイズが容器の外周サイズよりも小さくするか垂直方向に切り欠き部分を設け、かつ吸水シートのない部分のフィルムを透明にすることにより、容器内の液量を目で確認出来るようにした飲用容器結露防止カバーとしても利用できる。
【０００７】
本発明で使用する高吸水性を有する吸水シートとしては、綿状パルプ、吸水紙等も利用できるが、水溶性ポリマーを適度に架橋した三次元構造の高分子吸水性樹脂を紙またはポリマー繊維内に分散させたもの、ポリアクリル酸ナトリウム塩を主成分とするポリマーを直接紡糸して繊維化したものなどの高吸水性の吸水シートが好ましい。また、吸水シートは吸水量等の必要に応じて単数枚から複数枚としてもよい。
【０００８】
本発明で使用するフィルムは透明性を有し、印刷、露光現像、転写、貼付で画像、文字、模様等を形成できれば利用できる。例えば、ポリエチレン、ポリプロピレン、ポリエチレンテレフタレート（ポリエステル）、ポリカーボネート、ポリスチレン、ポリフェニレンスルフィド等が利用できる。フィルム厚さは５０μｍ以下で薄い方がフィルム間を水で張り合わせによる吸水シートの変形に伴う接着追随性がよい。触感および加工性、取り扱い性を考慮すると好ましくは５〜２５μｍである。５μｍ以下では材質にもよるがフィルムが破れやすく、張り合わせ加工がしにくく、取り扱いにくくなるからである。
【０００９】
フィルムに水をつけて仮貼り付けするフィルム貼りしろ部分は結露防止カバーと同じ幅でよいが、張り合わせ作業が容易となり好ましいので部分的に突起状にして色を変えてもよい。
【００１０】
容器内の飲料の量を目視するための垂直方向の切り欠き部分は、容器外周長さよりも吸水シート部分の寸法を小さくして結露防止カバーの端部に設けることができる。また、端部だけでなく、単数または複数の切り欠き部分を設けてもよい。
【００１１】
吸水シートとフィルムの張り合わせは部分的あるいは全面的に接着剤を使用してもよいし、吸水シートが熱可塑性を有する場合は部分的または全面的に熱圧着して固定しても良い。
【００１２】
本発明の実施例について図に基づいて以下に説明する。
【００１３】
【実施例１】
ビール瓶５の外周長さよりも１０ｍｍだけ短い寸法の高吸水性不織繊維からなる吸水性シート１を、吸水性シート１のサイズよりも３０ｍｍ幅広の１６μｍ厚のポリエチレンテレフタレートフィルム（以下ＰＥＴフィルムという）を連続的にのりで張り合わせて、ビール瓶５の結露防止をしたい部分のサイズに合わせて連続方向に対して垂直に切断して、第一図に示すように貼りしろ部分３を有する飲用容器結露防止カバーを作成した。
【００１４】
次に、第２図及び第３図に示すように飲用容器結露防止カバーをビール瓶５に巻き付けて、ＰＥＴフィルム２の貼りしろ部分３の内側を水６で濡らし、下側のＰＥＴフィルム２の表面に貼りつけると、水６の表面張力で張り付きＰＥＴフィルムが仮固定される。これにより飲用容器結露防止カバーは冷えたビールが外気の比較的高い温度で結露した水滴を吸水シート１が吸収し、かつ飲用容器結露防止カバーはビール瓶５の周りに固定されるので扱いやすくなる。また、吸水シート１が適度に吸水して滑り止めになり、中のビール瓶５が落下することも無かった。
【００１５】
また、吸水シート１の寸法はビール瓶の外周よりも１０ｍｍ小さいので、上記飲用容器結露防止カバーをビール瓶５に巻き付けると切り欠き部分４ができる。この切り欠き部分４の上には透明なＰＥＴフィルムがあるので、ビール瓶５内のビールの残量を目で確認できる。
【００１６】
ビール瓶５の底に合わせて飲用容器結露防止カバーを巻き付けると、１０℃まで冷やしたビールを室温３０℃で卓上に放置したが、ビール瓶の５の底に水滴はほとんどついていなかった。
【００１７】
【発明の効果】
本発明によれば、冷たい飲料をいれた飲用容器の結露を防止するカバーを、容易に作成できて、しかも使用方法も飲用容器に巻き付けて水で張り合わせるだけの作業で利用できることから、飲食を快適に行うことが出来る。また、飲用容器結露カバーの表面には画像、文字、模様等表示可能で、パーティ、宴会等各種行事の雰囲気を高揚させることができ、広告の手段にも利用できることから、社会生活の快適化に寄与するものである。
【図面の簡単な説明】
【第１図】本発明の実施例である飲用容器結露防止カバーの一例を示す斜視図である。
【第２図】本発明の実施例である飲用容器結露防止カバーをビール瓶に巻き付けて水で仮固定したときの側面図である。
【第３図】本発明の実施例である飲用容器結露防止カバーをビール瓶に巻き付けて水で仮固定したときの平面図である。
【符号の説明】
１　吸水性シート
２　フィルム
３　貼りしろ部
４　切り欠き部
５　ビール瓶
６　水滴
７　ビール瓶の口
【図１】
2004089664.tif 000003
【図２】
2004089664.tif 000004
【図３】
2004089664.tif 000005